(57)【要約】【課題】  吐水ヘッドの吐水角度が自在に調整可能で、かつシャワー吐水の切替操作性のよいシャワー装置を提供する。【解決手段】  回転操作することによりシャワー吐水状態を切替可能な吐水切替部を有する吐水ヘッド部が、前記吐水ヘッド部への給水を行う通水路を内部に備えた球面継手部に対して接続されることにより、前記吐水ヘッド部が首振り状に回転可能なシャワー装置において、前記球面継手部の球面部側面には、溝部を設け、前記吐水ヘッド部の前記球面継手部との接続部には突起を設け、前記溝部内に前記突起部が収まるように接続されることを特徴とするシャワー装置。【選択図】  図２
2006101914.tif 000002
【特許請求の範囲】
【請求項１】
回転操作することによりシャワー吐水状態を切替可能な吐水切替部を有する吐水ヘッド部が、前記吐水ヘッド部への給水を行う通水路を内部に備えた球面継手部に対して接続されることにより、前記吐水ヘッド部が首振り状に回転可能なシャワー装置において、前記球面継手部の球面部側面には、溝部を設け、前記吐水ヘッド部の前記球面継手部との接続部には突起を設け、前記溝部内に前記突起部が収まるように接続されることを特徴とするシャワー装置。
【請求項２】
前記溝部を前記球面継手部側面の相対する位置に設けるとともに、前記突起を前記吐水ヘッド部の前記球面継手部との接続部の相対する位置に設け、前記溝部内に前記突起部が収まるように接続されることを特徴とする請求項１記載のシャワー装置。
【発明の詳細な説明】
【技術分野】
【０００１】
本発明は、浴室やシャワールームなどの壁に固定して、頭上や体の側面方向からシャワー吐水するシャワー装置に係り、特にシャワー吐水が切替えられ、かつシャワー吐水の方向を自在に調整できるシャワー装置に関する発明である。
【背景技術】
【０００２】
従来、浴室やシャワールームなどの壁面または天井面に設置される固定式のシャワー装置として、シャワーヘッド部にシャワー吐水形態が異なる複数の散水孔とシャワー吐水形態を切替える吐水切替操作部を設け、球面部を備えた継手等でシャワーヘッドを接続して吐水方向を自在に調整できる形態のものがある。（例えば、特許文献１参照。）
上記の例では、シャワーヘッド部に異なるシャワー吐水形態の散水孔を設けた散水板を設け、散水板を回転操作することにより所望のシャワー吐水に切替えることができるものである。一方、シャワーヘッド部に接続する継手部の先端は球面形状でシャワーヘッド部の内部に収納され、シャワーヘッド部と接続されている。これにより、シャワーヘッド部は継手部の球面に沿って可動できてその向きを自在にすることができる。
このような構成では、散水板の摺動部に使用しているパッキンが固着したり、シャワーヘッド部の部品にかかる水圧の影響によって散水板の摺動部の摩擦抵抗が上昇したりして、操作板の回転に必要な操作力がシャワーヘッド部の向きを調整する操作力よりも高くなると、シャワーヘッド部の散水板を回転操作しても、シャワーヘッド部が共回りしてしまい、吐水切替を行うことができない等の問題があった。
【特許文献１】特開２０００−３１２６５４号公報
【発明の開示】
【発明が解決しようとする課題】
【０００３】
本発明は、上記問題を解決するため、吐水ヘッド部の吐水角度を自在に調整でき、かつシャワー吐水の切替操作性のよいシャワー装置を提供するものである。
【課題を解決するための手段】
【０００４】
請求項１記載の発明では、回転操作することによりシャワー吐水状態を切替可能な吐水切替部を有する吐水ヘッド部が、前記吐水ヘッド部への給水を行う通水路を内部に備えた球面継手部に対して接続されることにより、前記吐水ヘッド部が首振り状に回転可能なシャワー装置において、前記球面継手部の球面部側面には、溝部を設け、前記吐水ヘッド部の前記球面継手部との接続部には突起を設け、前記溝部内に前記突起部が収まるように接続されることを特徴とするシャワー装置とした。
【０００５】
本発明によれば、球面継手部の球面部側面には、溝部を設け、吐水ヘッド部の球面継手部との接続部には突起を設け、溝部内に突起部が収まるように接続されるため、シャワー吐水状態切替時、吐水切替部の回転操作力により、吐水ヘッド部の球面継手部との接続部が球面継手部上を共回りしようとしても、突起が溝部側面に当たることにより、吐水ヘッド部の回転を阻止し、吐水切替部を回転操作でき、容易にシャワー吐水状態の切替ができる。
【０００６】
請求項２記載の発明では、前記溝部を前記球面継手部側面の相対する位置に設けるとともに、前記突起を前記吐水ヘッド部の前記球面継手部との接続部の相対する位置に設け、前記溝部内に前記突起部が収まるように接続されることを特徴とするシャワー装置とした。
【０００７】
本発明によれば、溝部を球面継手部側面の相対する位置に設けるとともに、前記突起を前記吐水ヘッド部の球面継手部側面との接続部の相対する位置に設けるため、突起が溝部側面に当たる力分散し突起の摩耗及び劣化を抑制できる。
【発明の効果】
【０００８】
本発明によれば、吐水ヘッドの吐水角度が自在に調整可能で、かつ吐水ヘッドにある時吐水状態を切り替える吐水切替部を回転操作する時、吐水ヘッドの回転を防止することができる。
【発明を実施するための最良の形態】
【０００９】
以下に図面を参照して、本発明をより具体的に説明する。図１は浴室の壁面に本発明のシャワー装置を取り付けた状態を示した図、図２は本発明のシャワー装置の側面断面図、図３は本発明のシャワー装置の平面断面図である。
図１に示すように本発明のシャワー装置Aは浴室の洗い場で一壁面あるいは相対する二つの壁面の所定位置に設置され、操作ハンドル（図示しない）を操作することによってシャワー装置Aからシャワー吐水するものである。
本発明のシャワー装置Ａは、主として湾曲隆起した散水板１１の中心部で刺激のあるマッサージ吐水部を備えた異なる形態のシャワー吐水に切替えることができ、吐水方向を自在に調整できる吐水ヘッド１と、湯水混合水を供給する配管（図示しない）に接続される継手部２と、これらを接続する接続具である袋ナット３とから構成されている。
【００１０】
吐水ヘッド１には、図２に示すように湾曲隆起し、一般的な吐水形態のシャワー吐水を行う散水孔１１ａを複数備えた散水板１１と、散水板１１の中心で使用者に刺激のあるマッサージ吐水を行うノズル１２と、ノズル１２を収めるためのノズルケース１３、ノズルガイド１１１が備えられている。
散水板１１の内部には、底面１４ａに水を流入させるための複数の孔加工が施された切替継手１４が収められ、平面部に孔加工がありシャワー吐水の切り替えを行うための切替板１５がバネ１６に付勢されて前記継手１４の底面１４ａに押し当てられて接するように、取り付けられている。
切替板１５のさらに内側には、バネ１６を収め切替板１５を固定するための軸１７が配置しており、軸１７には袋ナット３を接続するための接続継手１８が接着剤等により強固にねじ込み固定されている。
吐水ヘッド１の接続継手１８には、内周面部の相対する位置に孔部１８ａを２箇所設け、この孔部１８ａに突起１９を挿入し、溶接や接着等により一体的に固定されている。
また、吐水ヘッド１の外周には、回転操作することにより、吐水状態を切り替えるための吐水切替部である切替リング１１０が、設けられている。
【００１１】
図３に示すように、継手部２は、湯水混合水を供給する配管（図示しない）に接続する配管継手部２１と、配管継手部２１を覆うように取り付けられる球面継手部２２から構成されている。
配管継手部２１は、黄銅等の材質で製作され、根元部（上流側）には配管（図示しない）と接続するための雄ネジ部２１ｂを設け、中央部には配管（図示しない）と接続する際の工具掛りとする六角形の板状のツバ２１ｃが２ケ所、その間には後述する止めネジ２３が当接し、球面継手部２２のズレを防止するための円錐状の胴体部２１ｄを設けている。さらに先端（下流側）には、外周に溝加工された円筒部２１ｅがあり、この溝部にＯリング２４が装着されている。そして、配管継手部２１の内部には通水路２１ａが設けられている。
【００１２】
配管に接続固定された配管継手部２１には、内部に通水路２２ａを備えた球面継手部２２が取り付けられる。
球面継手部２２は外観が略円柱状で、吐水ヘッド１側には袋ナット３の一部が収容される凹みが形成され、その部位に球面形状の球面突部２２ｂが外周側面より突出した状態で設けられている。
なお、図６に示すように前記球面継手部２２の球面突部２２ｂは、側面に球面継手部２２の中心軸方向（通水方向）に縦長に加工された溝部２２ｄを相対する位置に２ケ所有している。
そして、球面継手部２２の外周側面には止めネジ２３を螺合するための雌ネジ部２２ｃを開口孔２２ｅまで貫通するように設けている。
また、球面継手部２２の内部には上流側に配管継手部２１のツバ２１ｃを覆う開口孔２２ｅ、下流側に円筒部２１ｅが挿入される通水路２２ａが設けられている。
【００１３】
次に、シャワー装置Ａの設置方法について説明する。
まず、配管継手部２１を配管（図示しない）に接続する。配管継手部２１の雄ネジ部２１ｂにシール材等を塗布し、壁面に配置された配管のねじ部（図示しない）に螺合接続する。この時、ツバ２１ｃの六角部に工具を当てて、締付けを行う。
【００１４】
次に、球面継手部２２の球面突部２２ｂに向けて袋ナット３を取り付ける。
尚、強度面等から、球面継手部２２、配管継手部２１、袋ナット３の材質は、黄銅等の金属材料を用いることが好ましいが、この場合、摩擦抵抗や音の発生を考慮すると、袋ナット３と、球面継手部２２の球面突部２２ｂの間には、樹脂製のスリップワッシャー３ａ等を入れるのが好ましい。さらに、スリップワッシャー３ａの底面部に、金属板３ｂを入れるとより好ましい形態となり、万一、球面突部２２ｂとの摩擦による摩耗等によって、スリップワッシャー３ａの孔径が広がっても袋ナット３が抜け落ちて落下することなく、安全である。
【００１５】
そして、袋ナット３と吐水ヘッド１を接続するが、その方法は、接続継手１８内部にパッキン１１２を配置し、このパッキン１１２を球面継手部２２の球面突部２２ｂに押し当てながら、袋ナット３を接続継手１８に締め付ける。
この時、接続継手１８内周面部に設置された突起１９は、球面継手部２２の球面突部２２ｂに施された溝部２２ｄに収まるようにして固定される。
これにより、吐水ヘッド１は、前記パッキン１１２により止水性を保ちながら、任意に角度を調整することができる。すなわち、使用者が吐水ヘッド１先端を手で操作することにより、図５に矢印で示すように、体形や体勢に応じた好みのシャワー吐水角度に設定することが可能である。
【００１６】
このようにして組立てられた吐水ヘッド１及び袋ナット３及び球面継手部２２は、球面継手部２２の球面突部２２ｂに加工された通水路２２ａに、配管継手部２１の先端部が挿入される。挿入後、球面継手部２２の側面に設けられた雌ネジ部２２ｃに止めネジ２３をねじ込み、配管継手部２１側面の胴体部２１ｄに突き当てて、固定する構造となっている。
このような構造にすることにより、仮に壁面への配管継手部２１のねじ込み深さに誤差が生じても、配管継手部２１先端の円筒部２１ｅへの球面継手部２２の挿入深さを調整することによって、誤差吸収が可能であるため、配管継手部２１の雄ネジ部２１ｂを露出させることなく、意匠性を保つことができる。さらに、球面継手部２２の抜けや、ガタツキも防止できる。
【００１７】
このようにして、構成されたシャワー装置Ａにおけるシャワー吐水について説明する。まず、壁面等に取付けられた温度調節ハンドル（図示しない）及び、操作ハンドル（図示しない）を操作すると所望の湯水混合水が配管継手部２１、球面継手部２２のそれぞれ内部にある通水路２１ａ、通水路２２ａを通って、先端の吐水ヘッド１へ給水される。
吐水ヘッド１への流入水は、切替板１５の孔１５ａと継手１４の孔１４ｂの位置関係により、継手１４の内側に区画形成された空間１４ｃか外側に区画形成された空間１４ｄのいずれかに給水される。
【００１８】
内側に区画形成された空間１４ｃへの流入水は、やがてノズルケース１３内に流入し、内部に旋回流を発生させて、ノズル１２を回転させながら先端部の孔１２ａより吐水される。
このシャワー吐水は、断続感のあるマッサージ吐水となり、使用者へ刺激を与えたり、疲れを癒したりするのに役立つ。
【００１９】
一方、外側に区画形成された空間１４ｄへの流入水は、散水板１１の散水孔１１ａから一般的なシャワー吐水として、排出される。
こちらは、主に複数箇所からのシャワー吐水によって、体を温めたり、洗体時の石鹸を洗い流す等の使用に好適である。
【００２０】
次に、本発明のシャワー装置Ａにおけるシャワー吐水形態の切替えについて説明する。
シャワー吐水形態の切替えは、前述の通り、図４に示す矢印の方向に吐水ヘッド１外周の切替リング１１０を回転操作することによりなされる。詳しくは、切替リング１１０を図４に矢印で示すように回転操作すると、散水板１１、ノズルケース１３、ノズルガイド１１１、切替継手１４が一体的に回る構造になっている。
一方、一体的に構成された接続継手１８と軸１７及び切替板１５は、切替リング１１０の回転操作力の影響を切替継手１４や切替リング１１０との接触面の摩擦抵抗を通じて受けるため、切替リング１１０と同方向に共回りしようとする。
【００２１】
ところが、図８に示すように、接続継手１８内周面の突起１９が球面継手部２２の球面突部２２ｂの溝部２２ｄに収まっているため、共回りしようとしても突起１９が溝部２２ｄ側面の壁面に当たり回転が抑制されることになる。
従って、散水板１１、ノズルケース１３、ノズルガイド１１１、切替継手１４が一体的に回って、切替板１５の孔１５ａと継手１４の孔１４ｂの位置関係が変わってシャワー吐水の形態を切替えることができる。
【００２２】
次に、吐水ヘッド１の角度調整について説明する。
前記継手部２と、前記吐水ヘッド１を接続するには、継手１８内部にパッキン１１２を、配置し、このパッキン１１２を球面継手部２２の球面突部２２ｂに押し当てながら、袋ナット３を継手１８に締め付ける。
これにより、吐水ヘッド１は、前記パッキン１１２により止水性を保ちながら、継手部２と接続される。
図９において、吐水ヘッド１は、散水板１１がシャワー装置Ａの設置面と略平行の場合、図９（ａ）のようになるが、Ｘ軸方向に角度調整する場合、図９（ｂ）のように溝部２２ｄの中で突起１９の中心軸を中心にして吐水ヘッド１が動き、吐水ヘッド１の吐水角度が変更されることになる。
【００２３】
また、図１０において、吐水ヘッド１は、散水板１１がシャワー装置Ａの設置面と略平行の場合、図１０（ａ）のようになるが、Ｙ軸方向に角度調整する場合、溝部２２ｄを球面継手部２２の中心軸方向（通水方向）に縦長に加工されていることから、図１０（ｂ）のようにその角度に応じて、突起１９が、溝部２２ｄの中を長辺方向に沿うように移動して吐水ヘッド１が動き、吐水ヘッド１の吐水角度が変更されることになる。
以上の突起１９の溝部２２ｄ内での２つの動きを組合わせることにより、吐水ヘッド１は、任意の角度への調整が可能となり、首振状に回転可能となる。
【００２４】
以上により、吐水ヘッドの吐水角度が自在に調整可能で、かつシャワー吐水の切替操作性のよいシャワー装置を提供することができる。
【図面の簡単な説明】
【００２５】
【図１】本発明のシャワー装置の設置を示した状態図。
【図２】本発明のシャワー装置の横側断面図。
【図３】本発明のシャワー装置の縦側断面図。
【図４】本発明のシャワー装置で切替リングの動きを示した外観図。
【図５】本発明のシャワー装置で吐水ヘッドの向きを示した外観図。
【図６】吐水ヘッドと継手部を正面から見た分解斜視図。
【図７】吐水ヘッドと継手部を背面から見た分解斜視図。
【図８】本発明のシャワー装置の突起と溝部の透視斜視図。
【図９】本発明のシャワー装置で吐水ヘッドの動きを示した斜視図。
【図１０】本発明のシャワー装置で吐水ヘッドの動きを示した横側断面図。
【符号の説明】
【００２６】
１………吐水ヘッド
１１……散水板
１１ａ…散水孔
１２……ノズル
１２ａ…孔
１３……ノズルケース
１４……切替継手
１４ａ…底面
１４ｂ…孔
１４ｃ…空間
１４ｄ…空間
１５……切替板
１５ａ…孔
１６……バネ
１７……軸
１８……接続継手
１８ａ…孔部
１９……突起
１１０…切替リング
１１１…ノズルガイド
１１２…パッキン
２………継手部
２１……配管継手部
２１ａ…通水路
２１ｂ…雄ネジ部
２１ｃ…ツバ
２１ｄ…胴体部
２１ｅ…円筒部
２２……球面継手部
２２ａ…通水路
２２ｂ…球面突部
２２ｃ…雌ネジ部
２２ｄ…溝部
２２ｅ…開口孔２２ｅ
２３……止めネジ
２４……Ｏリング
３………袋ナット
３ａ……スリップワッシャー
３ｂ……金属板
【図１】
2006101914.tif 000003
【図２】
2006101914.tif 000004
【図３】
2006101914.tif 000005
【図４】
2006101914.tif 000006
【図５】
2006101914.tif 000007
【図６】
2006101914.tif 000008
【図７】
2006101914.tif 000009
【図８】
2006101914.tif 000010
【図９】
2006101914.tif 000011
【図１０】
2006101914.tif 000012